(57)【要約】【課題】集光性部材を用いることなく、水平方向の解像度の高い複数の画像をそれぞれ異なる位置に表示することができる表示装置を提供する。【解決手段】有機電界発光素子２と、液晶パネル３と、画像信号出力部４と、発光制御部５と、液晶パネル３の観察側に配置され、有機電界発光素子２から各画素を通る光に指向性をもたせる手段を有するレンチキュラーレンズ６とからなる透過型液晶表示装置１において、液晶パネル３の一の画素に対して、液晶パネル３の水平方向に複数対向配置され、画像信号出力部４は、液晶パネル３の各画素に、異なる複数の画像の画像データを順次出力し、発光制御部５は、複数の発光領域のうち、一部の発光領域のみが発光し、かつ当該発光する発光領域が順次切り換わるように各発光領域を制御することを特徴とする表示装置。【選択図】      図１
2005010302.tif 000002
【特許請求の範囲】
【請求項１】
面状に配置された複数の発光領域を有する光源と、
前記光源からの光を通して、画像を表示する複数の画素を有する透過型画像表示パネルと、
前記光源の各発光領域での発光と消灯とを切り換える制御を行う発光制御部と、
前記透過型画像表示パネルの各画素に画像データを送る画像信号出力部と、
前記透過型画像表示パネルに対向して配置され、前記光源から各画素を通る光に指向性をもたせる手段を有する指向性部材とからなる表示装置において、
前記光源の発光領域は、前記透過型画像表示パネルの一の画素に対して、前記透過型画像表示パネルの水平方向に複数対向配置され、
前記画像信号出力部は、前記透過型画像表示パネルの各画素に、異なる複数の画像の画像データを順次出力し、
前記発光制御部は、前記複数の発光領域のうち、一部の発光領域のみが発光し、かつ当該発光する発光領域が順次切り換わるように各発光領域を制御することを特徴とする表示装置。
【請求項２】
前記透過型画像表示パネルは、カラー画像を表示する透過型画像表示パネルであって、前記各画素はそれぞれ赤もしくは青もしくは緑を表示すること特徴とする請求項１に記載の表示装置。
【請求項３】
前記透過型画像表示パネルの前記画素は、前記透過型画像表示パネルの垂直方向に三つの区画に分けられるとともに、各区画にはそれぞれ赤、青、緑の表示部分を有することを特徴とする請求項１に記載の表示装置。
【請求項４】
前記発光制御部は、前記透過型画像表示パネルの各画素に表示される画像が切り換わるのと同時に、前記透過型画像表示パネルの各画素に対向する前記発光する発光領域が切り換わるように制御することを特徴とする請求項１から請求項３のいずれか一項に記載の表示装置。
【請求項５】
前記光源は面状発光素子であることを特徴とする請求項１から請求項４に記載のいずれか一項に記載の表示装置。
【請求項６】
前記透過型画像表示パネルは液晶パネルであることを特徴とする請求項１から請求項５のいずれか一項に記載の表示装置。
【請求項７】
前記指向性部材はレンチキュラーレンズであることを特徴とする請求項１から請求項６のいずれか一項に記載の表示装置。
【請求項８】
前記指向性部材はパララックスバリアであることを特徴とする請求項１から請求項７のいずれか一項に記載の表示装置。
【請求項９】
面状に配置された複数の発光領域を有する光源と、
前記光源からの光を通して、画像を表示する複数の画素を有する透過型画像表示パネルと、
前記透過型画像表示パネルに対向して配置され、前記光源からの光に指向性をもたせる手段を有する指向性部材とからなる表示装置において、
前記光源の発光領域は、前記透過型画像表示パネルの一の画素に対して、前記透過型画像表示パネルの水平方向に複数配置されることを特徴とする表示装置。
【発明の詳細な説明】
【０００１】
【発明の属する技術分野】
集光性部材を用いることなく、異なる複数の画像をそれぞれ異なる位置に表示することができる表示装置に関するものである。
【０００２】
【従来の技術】視点を左右に動かすことで立体画像等を周囲から見る感覚を得ることができる多眼式の立体画像表示装置として、特許文献１には、複数の発光領域を有し、各発光領域での発光と消灯とを切り換えることができる光源と、各画素に互いに視差を有する８つの映像を時間的に交互に表示させる画像表示手段と、光源の光を画素に導くとともに当該画素内でそれより狭い幅となる各発行領域に対応して光源光到達狭幅領域を形成する入射側レンチキュラーレンズ（以下、集光性部材）と画像表示手段の表示画面から所定の距離の位置に各光源光到達狭幅領域からの光を眼間距離又はこれよりも小さい幅の間隔を伴って集光させる出射側レンチキュラーレンズ（以下、指向性部材）と、映像の表示タイミングに応じて発行領域を順繰りに発光させていく発光制御部とを備えた立体映像表示装置が提案されている。
【０００３】
しかしながら、この立体映像表示装置では、指向性部材と集光性部材とを必要とするため、小型化、薄型化を図る上で不利となる。
【０００４】
【特許文献１】
特開平１１−３０８６４２号公報
【０００５】
【発明が解決しようとする課題】
本発明は、集光性部材を用いることなく、表示装置を小型、薄型化でき、かつ同じ液晶パネルを用いて表示される二次元画像と比べても、水平方向の解像度の低下のない複数の画像をそれぞれ異なる位置に表示することができる表示装置を提供するものである。
【０００６】
【課題を解決するための手段】
上記目的を達成するため、請求項１に記載の発明は、面状に配置された複数の発光領域を有する光源と、光源からの光を通して、画像を表示する複数の画素を有する透過型画像表示パネルと、光源の各発光領域での発光と消灯とを切り換える制御を行う発光制御部と、透過型画像表示パネルの各画素に画像データを送る画像信号出力部と、透過型画像表示パネルに対向して配置され、光源から各画素を通る光に指向性をもたせる手段を有する指向性部材とからなる表示装置において、光源の発光領域は、前記透過型画像表示パネルの一の画素に対して、透過型画像表示パネルの水平方向に複数対向配置され、画像信号出力部は、透過型画像表示パネルの各画素に、異なる複数の画像の画像データを順次出力し、発光制御部は、複数の発光領域のうち、一部の発光領域のみが発光し、かつ当該発光する発光領域が順次切り換わるように各発光領域を制御することを特徴とする。
【０００７】
この発明によれば、光源の発光領域が、透過型画像表示パネルの一の画素に対して、透過型画像表示パネルの水平方向に複数対向配置されているので、各画素に光源からの光を集光させる必要がない。従って、透過型画像表示パネルと光源との間に、レンチキュラーレンズなどの集光部材を用いることなく異なる複数の画像をそれぞれ異なる位置に表示することが可能となる。
【０００８】
請求項２に記載の発明は、請求項１に記載の表示装置において、透過型画像表示パネルは、カラー画像を表示する透過型画像表示パネルであって、各画素はそれぞれ赤もしくは青もしくは緑を表示すること特徴とする。
【０００９】
この発明によれば、透過型画像表示パネルの各画素より出射されるＲ、Ｇ、Ｂの三原色の光は、それぞれ別個にレンチキュラレンズを透過し、各観測点においてカラー画像が再現されるため、指向性部材を用いずに複数のカラー画像をそれぞれ異なる位置に表示することができる。また、既存の液晶パネルを用いることができる。
【００１０】
請求項３に記載の発明は、請求項１に記載の表示装置において、透過型画像表示パネルの前記画素は、前記透過型画像表示パネルの垂直方向に三つの区画に分けられるとともに、各区画にはそれぞれ赤、青、緑の表示部分を有することを特徴とする。
【００１１】
この発明によれば、各画素中の垂直方向に並んだ各サブ画素は、水平方向に並んだどの発光領域からの光もほぼ均等に入射されるため、発光する発光領域によって表示される画像の色度が変化することがない。
【００１２】
請求項４に記載の発明は、請求項１または請求項３に記載の表示装置において、発光制御部は、透過型画像表示パネルの各画素に表示される画像が切り換わるのと同時に、透過型画像表示パネルの各画素に対向する発光する発光領域が切り換わるように制御することを特徴とする。
【００１３】
この発明によれば、透過型画像表示パネルと光源との間に、レンチキュラーレンズなどの集光部材を用いることなく複数の画像をそれぞれ異なる位置に表示することができる。
【００１４】
請求項５に記載の発明は、請求項１から請求項４のいずれか一項に記載の表示装置において、光源は面状発光素子であることを特徴とする。
この発明によれば、有機電界発光素子や無機電界発光素子などの面状発光素子を用いるため、発光領域を微小区画毎に形成して小さくできる。従って、解像度の高い画像を表示することができる。また、応答が速いため、安定して解像度の高い複数の映像を表示することができる。
【００１５】
請求項６に記載の発明は、請求項１から請求項５のいずれか一項に記載の表示装置において、透過型画像表示パネルは液晶パネルであることを特徴とする。
請求項７に記載の発明は、請求項１から請求項６のいずれか一項に記載の表示装置において、指向性部材はレンチキュラーレンズであることを特徴とする。
【００１６】
請求項８に記載の発明は、請求項１から請求項７のいずれか一項に記載の表示装置において、指向性部材はパララックスバリアであることを特徴とする。
請求項９に記載の発明は、面状に配置された複数の発光領域を有する光源と、光源からの光を通して、画像を表示する複数の画素を有する透過型画像表示パネルと、透過型画像表示パネルに対向して配置され、光源からの光に指向性をもたせる手段を有する指向性部材とからなる表示装置において、光源の発光領域は、透過型画像表示パネルの一の画素に対して、透過型画像表示パネルの水平方向に複数配置されることを特徴とする。
【００１７】
この発明によれば、光源の発光領域が、透過型画像表示パネルの一の画素に対して、透過型画像表示パネルの水平方向に複数対向配置されているので、各画素に光源からの光を集光させる必要がない。従って、透過型画像表示パネルと光源との間に、レンチキュラーレンズなどの集光部材を用いることなく異なる複数の画像をそれぞれ異なる位置に表示することが可能となる。
【００１８】
【発明の実施の形態】
（第１の実施の形態）
以下、本発明を、異なる８種類の画像を表示する透過型液晶表示装置に具体化した実施の形態を、図１から図３に従って説明する。
【００１９】
図１、２の透過型液晶表示装置１は、透過型画像表示パネルとしての液晶パネル３、画像信号出力部４、発光制御部５、指向性部材としてのレンチキュラーレンズ６及び光源としての有機電界発光素子２とからなる。
【００２０】
液晶パネル３は、公知の薄膜トランジスタＬＣＤを用いる。
液晶パネル３は、図２ａに示すように、互いに対向するように配設された第１透明基板２０、第２透明基板２１及び、これら第１、第２透明基板間に保持された液晶層２２を備えている。第１透明基板２０、第２透明基板２１の外側表面には、偏光板３２が配置されている。
【００２１】
第１透明基板２０の液晶層２２と接する側には、図２ｂに示す等価回路のように走査線２４、信号線２５、画素電極２６、駆動部であるＴＦＴ２７、補助容量２８及び補助容量線２９が、それぞれ液晶層２２と接する側に設けられており、これら一組として各画素１６が構成されている。
【００２２】
走査線２４及びこれと交差するように配列された信号線２５の交差部には、スイッチ素子としてＴＦＴ２７が接続される。
そのＴＦＴ２７のゲート電極は走査線２４に接続され、ソース電極（またはドレイン電極）は信号線２５に接続され、さらにドレイン電極（またはソース電極）は画素電極２６に接続されている。
【００２３】
画素電極２６には、充電電荷を保持するための補助容量２８が電気的に並列に接続されている。この補助容量２８は、画素電極２６と補助容量線２９との間に容量Ｃｓを形成している。
【００２４】
なお、補助容量２８には、図示しない外部のコントロール回路から一定の電位が与えられている。
ここで、図２ｂに示す等価回路図の動作について説明する。
【００２５】
信号線２５に画像データが供給され、これと同期して走査線２４に行選択パルスが出力されると、ＴＦＴ２７のソース・ドレイン間が導通状態となり、信号線２５に供給された画像データがＴＦＴ２７を介して画素電極２６に書き込まれる。そして、各画素電極２６には、供給される画像データに応じた電圧が印加され、これらに対向する液晶層２２がそれぞれ駆動されることで全体として表示画像が構成される。
【００２６】
第２透明基板２１の液晶層２２と接する側には、画素電極２６と相対する共通電極としてのＩＴＯ電極２３が全面に形成されている。
有機電界発光素子２は、図２ａに示すように、ガラス基板３３上に、複数の隔壁３５が液晶パネル３の画素ピッチ（任意の画素とそれと隣り合う画素との距離）と同じピッチをおいて設けられ、当該隔壁３５間にそれぞれＩＴＯ（インジウム錫酸化物）による透明電極３６、発光層を含む有機層３７及び金属電極３４を順に積層して形成しており、透明電極３６及び有機層３７は、走査線２４と平行で、かつ液晶パネル３の一の画素１６に対して、液晶パネル３の水平方向に、発光領域７、８、９、１０、１１、１２、１３、１４が対向配置されるように短冊状に分割されている。つまり、液晶パネル３の一の画素１６に対して、表示される画像の種類数に相当する数の発光領域が対向配置されるように短冊状に分割されている。
【００２７】
なお、本発明でいう対向とは、対向する二つの面が密着するものも含む。
レンチキュラーレンズ６は、  液晶パネル３の観察側に液晶パネル３と距離をおいて対向して配置され、有機電界発光素子２からの光に指向性を持たせる手段が、液晶パネル３の画素数に相当する数だけ配置されている。
【００２８】
画像信号出力部４は、例えばマイクロコンピュータ等の通常の情報処理装置よりなり、外部から入力された画像信号より、液晶パネル３の各画素１６に画像データを出力している。本実施の形態では、図３に示すような、一の物体４０をそれぞれ距離間に対応した間隔４１で配置された８つのカメラａ、ｂ、ｃ、ｄ、ｅ、ｆ、ｇ、ｈからそれぞれ撮影した８種類の画像の画像信号が、外部から画像信号出力部４へ入力され、これをａからｈの順番で画像信号を時分割表示するように処理されて液晶パネル３へ出力される。
【００２９】
なお、一の画素に出力される画像データは、観察される画像の一部分を表示する画像データである。
発光制御部５は、例えば有機電界発光素子２の各画素における発光領域７、８、９、１０、１１、１２、１３、１４を切り換え制御するロジック部と各発光領域７、８、９、１０、１１，１２，１３，１４へ所定の電圧を印加する駆動部分とからなり、液晶パネル３の水平方向に対して、表示される画像の種類数に相当する数の発光領域毎に順次切り換え発光するように制御しており、それぞれの画素１６における同じ位置に相当する各発光領域は、同時に発光及び消灯するように制御される。
【００３０】
例えば、全ての画素１６における発光領域７に相当する発光領域は同時に発光し、そのとき他の発光領域８、９、１０、１１、１２、１３、１４に相当する発光領域は全て消灯し、次に発光領域８に相当する発光領域が全て同時に発光するときには、他の発光領域７、９、１０、１１、１２、１３、１４に相当する発光領域は全て消灯するように制御する。この後、発光領域９、１０、１１、１２、１３、１４に相当する発光領域も同様に順次同時に発光および消灯するように制御が行われる。
【００３１】
この発光領域７、８、９、１０、１１、１２、１３、１４及びこれらに相当する各画素の発光領域が順次発光する動作は、画像信号出力部４からの画像データを受けて、液晶パネル３の表示画像の切り換えとほぼ同時期になされる。詳述すると、本実施の形態では、液晶パネル３の各画素１６に出力される時分割画像信号のうち、カメラａから撮影したときの画像フレームの画像データが液晶パネル３の各画素１６に表示されるのと同期して、発光領域７が発光し、カメラｂから撮影したときの画像フレームの画像データが液晶パネル３の各画素１６に表示されるのと同期して、発光領域８が発光し、カメラｃから撮影したときの画像フレームの画像データが液晶パネル３の各画素１６に表示されるのと同期して、発光領域９が発光し、カメラｄから撮影したときの画像フレームの画像データが液晶パネル３の各画素１６に表示されるのと同期して、発光領域１０が発光し、カメラｅから撮影したときの画像フレームの画像データが液晶パネル３の各画素１６に表示されるのと同期して、発光領域１１が発光し、カメラｆから撮影したときの画像フレームの画像データが液晶パネル３の各画素１６に表示されるのと同期して、発光領域１２が発光し、カメラｇから撮影したときの画像フレームの画像データが液晶パネル３の各画素１６に表示されるのと同期して、発光領域１３が発光し、カメラｈから撮影したときの画像フレームの画像データが液晶パネル３の各画素１６に表示されるのと同期して、発光領域１４が発光する。
【００３２】
なお、厳密には、発光領域が順次発光する動作と液晶パネル３の表示画像の切り換えが開始する時間とは時間差があるが、その時間差は無視してもよい位、短い時間なので同期するとしている。
【００３３】
次に、上記のように構成された透過型液晶表示装置１の作用を図１に従って説明する。
まず、画像信号出力部４より、時分割画像信号のうちカメラａによる画像フレームの画像データが液晶パネル３の各画素１６に出力されると、カメラａの画像フレームが表示される。それと同期して、発光制御部５によって、有機電界発光素子２の電極間に電圧が印加され、各画素１６の発光領域７から白色の光が液晶パネル３に向けて同時に出射される。
【００３４】
液晶パネル３内に入射された光は、液晶パネル３の各画素１６を通り、更に、レンチキュラーレンズ６を通ることにより透過型液晶表示装置１前面に対して所定の角度をもって出射される。他の画素１６を通る光も同様に出射され、それぞれの出射光が共通して通る観察点Ａにおいて観察者は、カメラａによる画像フレームを認識できる。
【００３５】
次に、画像信号出力部４より、時分割画像信号のうちカメラｂによる画像フレームの画像データが液晶パネル３の各画素１６に出力されると、カメラｂの画像フレームが表示される。それと同期して、発光制御部５によって、発光している発光領域７が消灯し、次に発光領域８が発光する。発光領域８から出射した光は、液晶パネル３の各画素１６を通り、更に、レンチキュラーレンズ６を通ることにより上記観察点Ａと同様に、観察点Ｂにおいてカメラｂから撮影したときの画像フレームを認識できる。
【００３６】
この後、発光領域９、１０、１１、１２、１３、１４が順次発光することにより、その発光領域に対応したカメラｃ、ｄ、ｅ、ｆ、ｇ、ｈの画像がそれぞれ観察点Ｃ、Ｄ、Ｅ、Ｆ、Ｇ、Ｈで観察される。
【００３７】
そして、この発光領域の反転を所定の周期以上の速度で繰り返せば、人の眼には、異なる観察点において同時に異なる画像が表示されて見えるようになり、本実施の形態の液晶パネルを用いたときに表示される二次元画像と比べて、水平方向の解像度の低下のない複数の画像をそれぞれ異なる位置に表示することができる。
【００３８】
以上記述したように、第１の実施の形態によれば、以下の効果が得られる。
（１）  光源の発光領域が、液晶パネルの一の画素に対して、液晶パネルの水平方向に複数対向配置されているので、各画素に光源からの光を集光させる必要がない。従って、液晶パネルと光源との間に、レンチキュラーレンズなどの集光部材を用いることなく異なる複数の画像をそれぞれ異なる位置に表示することが可能となる。
【００３９】
（２）  面状発光素子は、発光領域を微小区画毎に形成して小さくできるため、水平解像の低下のない画像を表示することができる。また、応答を速くすることで、安定して解像度の高い複数の映像を表示することができる。
（第２の実施の形態）
第２の実施の形態における液晶パネル５１は、図４に示すように、第２透明基板２１の液晶層２２と接する側の面上に、カラーフィルタ３０、保護膜３１、共通電極としてのＩＴＯ電極２３が、順次形成されており、第１透明基板２０上の液晶層２２と接する側には、一画素でＲ、Ｇ、Ｂそれぞれを表示するために、画素電極１００及び、図示しないが、走査線、信号線、ＴＦＴ、補助容量及び補助容量線から構成されるサブ画素５２が、一の画素中に液晶パネルの水平方向に三つ並んで設けられており、各サブ画素５２に対して、液晶パネル５１の水平方向に、発光領域７、８、９、１０、１１、１２、１３、１４がそれぞれ対向配置されている。その他の構成は第１の実施の形態と同様である。
【００４０】
カラーフィルタ３０は、図５に示すように、一の画素中に液晶パネル５１の水平方向にＲ、Ｇ、Ｂが並んで表示されるように形成されている。
第２の実施の形態によれば、上記（１）、（２）の効果に加えて、以下の効果を奏する。
【００４１】
すなわち、各画素より出射されるＲ、Ｇ、Ｂの三原色の光はそれぞれ別個にレンチキュラレンズの各凸部を透過し、各観測点においてカラー画像が再現されるため、指向性部材を用いずに複数のカラー画像をそれぞれ異なる位置に表示することができる。また、既存の液晶パネルを用いることができる。
（第３の実施の形態）
第３の実施の形態の液晶パネル６１は、図６に示すように、第２透明基板２１の液晶層２２と接する側の面上に、カラーフィルタ６２、保護膜３１、共通電極としてのＩＴＯ電極２３が、順次形成されており、第１透明基板２０上の液晶層２２と接する側には、一画素でＲ、Ｇ、Ｂそれぞれを表示するために、画素電極１１０及び、図示しないが、走査線、信号線、ＴＦＴ、補助容量及び補助容量線から構成されるサブ画素が、一の画素中に液晶パネルの垂直方向に三つ並んで設けられており、カラーフィルタ６２は、図７に示すように、一の画素中に液晶パネル６１の垂直方向にＲ、Ｇ、Ｂが並んで表示されるように形成されている。その他の構成は第１の実施の形態と同様である。
【００４２】
第３の実施の形態によれば、指向性部材を用いずに複数のカラー画像をそれぞれ異なる位置に表示することができる。また、各画素中の垂直方向に並んだ各サブ画素は、水平方向に並んだどの発光領域からの光もほぼ均等に入射されるため、発光する発光領域によって表示される画像の色度が変化することがない。
（第４の実施の形態）
第４の実施の形態の透過型液晶表示装置８０は、図８に示すように、液晶パネル３の一の画素１６に対して、液晶パネル３の水平方向に発光領域８３、８４、８５、８６が対向配置されている。また、本実施の形態においてはレンチキュラーレンズのかわりにパララックスバリア８７が液晶パネルと距離をおいて対向配置されている。このパララックスバリア８７は、表面に縦スリットを設けた特殊なフィルター状のもので、この微小なスリットによって光に指向性をもたせるものである。その他の構成は第１の実施の形態と同様である。
【００４３】
この場合にも、本実施の形態と同様の効果を得ることができる。
尚、本発明は前記実施の形態の他、以下の態様で実施してもよい。
○  前記実施の形態では、面状発光素子として有機電界発光素子を用いたが、有機電界発光素子に限らず、無機電界発光素子などの面状発光素子であればよい。この場合にも、有機電界発光素子の場合と同様の効果が得られる。
○  前記実施の形態では、それぞれの画素における同じ位置に相当する各発光領域が全て同時に発光するように制御したが、一の発光する発光領域の画素における位置と他の発光する発光領域の画素における位置が異なっていてもよい。例えば、図２ａの一の画素の発光領域７と他の画素の発光領域１４が同時に発光してもよい。この構成でも、指向性部材を用いずに異なる複数の画像を表示することができる。ただし、この場合、発光する発光領域に対応する画像を液晶パネルの各画素に出力する必要がある。
○  前記実施の形態では、それぞれの画素における同じ位置に相当する各発光領域が全て同時に発光するように制御したが、これに限らず、用途によって発光する発光領域を選択してやればよい。例えば、観察点Ａで左眼用画像、観察点Ｂで右眼用画像を表示し、観察点Ａ、Ｂが眼間距離分離れている場合、観察点Ａ、Ｂ間で立体画像を表すことができる。このとき発光領域７が発光するときに発光領域９、１１、１３も同時に発光するとともに、発光領域８、１０、１２、１４を消灯させることで観察点Ｃ、Ｅ、Ｇには観察点Ａと同じ画像が表示される。逆に発光領域８とともに、発光領域１０、１２、１４が発光するときに発光領域７、９、１１、１３を消灯させることで観察点Ｄ、Ｆ、Ｈには観察点Ｂと同じ画像を表示することができるため、観察点Ｃ、Ｄ間、観察点Ｅ、Ｆ間、観察点Ｇ、Ｈ間で観察点Ａ、Ｂ間と同じ立体画像を表示することができる。
○  前記実施の形態では、液晶パネルの水平方向に複数の発光領域を有すように透明電極及び有機層が分割されているが、液晶パネルの水平方向だけでなく、液晶パネルの垂直方向にも分割してよい。この場合にも、本実施の形態と同様の効果を得ることができる。
○  前記実施の形態では、８種類の画像の画像信号が、外部から画像信号出力部４へ入力され、これをａからｈの順番で画像信号を時分割表示するように処理されて液晶パネル３へ出力しているが、これに限らず、例えば、１種類の画像信号ずつ順次画像信号出力部に入力するようにしてもよい。この場合にも、本実施の形態と同様の効果を得ることができる。
○  第１、２、３の実施の形態では、レンチキュラレンズは、液晶パネル３と距離をおいて配置されているが、所定の位置に光源からの光を集光させることができれば、液晶パネルと密着して配置してもよい。
○  第３の実施の形態では、第１の実施の形態の液晶パネルを用いたが、第２の実施の形態の液晶パネルを用いてもよい。この場合、第２の実施の形態と同様の効果を得ることができる。
○  前記実施の形態では、図２ａに示すように有機電界発光素子と液晶パネルとが別に形成されているが、これに限らず、例えば第１透明基板の観察側と反対側の面上に光源を設けてもよい。つまり、各画素と各発光領域が密着させてもよい。この場合、より小型、薄型化できる。
○  前記実施の形態では、透過型画像表示パネルとして液晶パネルを用いたが、光を透過して画像を表示することができればよく、例えばＰＬＺＴなどでもよい。
○  第１、２の実施の形態では、指向性部材としてレンチキュラーレンズを、第３の実施の形態では、パララックスバリアを用いたが、光源からの光に指向性をもたせることができればよく、例えば、凸レンズや、クロスレンチキュラーレンズなどでもよい。この場合、水平方向だけでなく、垂直方向にも視差を与えることができる。
○  第３の実施の形態のパララックスバリアの縦スリットの部分にレンチキュラレンズを設けてもよい。この場合、配光効率を上げることができる。
【００４４】
【発明の効果】
上述のように、本発明によれば、集光性部材を用いることなく、表示装置を小型、薄型化でき、水平方向の解像度の低下のない複数の画像をそれぞれ異なる位置に表示することができる表示装置を提供することができる。
【図面の簡単な説明】
【図１】第１の実施の形態の透過型液晶表示装置の断面模式図。
【図２】（ａ）第１の実施の形態の透過型液晶表示装置の要部断面模式図。
（ｂ）第１の実施の形態の透過型液晶パネルの表示画素の等価回路図。
【図３】実施の形態の画像信号出力部に外部から入力される画像信号の説明図。
【図４】第２の実施の形態の透過型液晶表示装置の断面模式図。
【図５】第２の実施の形態の透過型液晶表示装置の斜視図。
【図６】第３の実施の形態の透過型液晶表示装置の断面模式図。
【図７】第３の実施の形態の透過型液晶表示装置の斜視図。
【図８】第４の実施の形態の透過型液晶表示装置の断面模式図。
【符号の説明】
１…透過型液晶表示装置（表示装置）、２…バックライト（光源）、３…液晶パネル（透過型画像表示パネル）、４…画像信号出力部、５…発光制御部、６…レンチキュラーレンズ、１６…画素。
【図１】
2005010302.tif 000003
【図２】
2005010302.tif 000004
【図３】
2005010302.tif 000005
【図４】
2005010302.tif 000006
【図５】
2005010302.tif 000007
【図６】
2005010302.tif 000008
【図７】
2005010302.tif 000009
【図８】
2005010302.tif 000010